(57)【要約】【課題】部品コストを抑えることができる誤消去防止爪検出装置を提供する。【解決手段】プリント基板３に形成された電気的に分離された２つのパターンのうち１つに銅板２が半田付けにより電気的に接続され、もう１つのパターンにはジャンパーワイヤ４が半田付けにより電気的に接続され、誤消去防止爪１ｂが有るビデオカセット１が所定位置にセットされると、誤消去防止爪１ｂと銅板２との接触により銅板２がジャンパーワイヤ４に接触し、上記２つのパターンが導通され、この導通がマイコンにより検出される。【選択図】図４
2008310843.tif 000002
【特許請求の範囲】
【請求項１】
電気的に分離された第一のパターンと第二のパターンとが同一面に形成されたプリント基板と、前記第一のパターンに電気的に接続された金属板とを備え、
誤消去防止爪を有する記録媒体が所定の位置にセットされた場合、前記誤消去防止爪が前記金属板の一部に接触することで前記金属板が変形し前記金属板が前記第二のパターンと電気的に接続され、前記第一のパターンと前記第二のパターンとの導通を検出することで前記誤消去防止爪が有ることを検出することを特徴とする誤消去防止爪検出装置。
【請求項２】
前記第二のパターンを貫通する２つの貫通穴が設けられ、前記プリント基板の前記第二のパターンが形成されない面側から略コ字状のジャンパーワイヤの両端部が前記２つの貫通穴に挿入され、前記ジャンパーワイヤと前記第二のパターンとが半田付けされ、
前記誤消去防止爪を有する記録媒体が所定の位置にセットされた場合、前記金属板が前記ジャンパーワイヤに接触することを特徴とする請求項１に記載の誤消去防止爪検出装置。
【請求項３】
前記金属板の一部が前記第一のパターンの一部に半田付けされ、
前記金属板の一部が前記プリント基板の前記第一のパターンが形成されない面に当接され、該当接された前記金属板の一部および前記第一のパターンを貫通する２つの貫通穴が設けられ、該２つの貫通穴に前記金属板の一部側から略コ字状のジャンパーワイヤの両端部が挿入され、該ジャンパーワイヤと前記第一のパターンとが半田付けされていることを特徴とする請求項１または請求項２に記載の誤消去防止爪検出装置。
【発明の詳細な説明】
【技術分野】
【０００１】
本発明は、誤消去防止爪検出装置に関するものである。
【背景技術】
【０００２】
ビデオカセットには誤消去防止爪が備わっている。図６に、そのような誤消去防止爪を備えるビデオカセットの一部の概略斜視図を示す。ビデオカセット１は、磁気テープを内部に収容するケース１ａを有し、そのケース１ａの前面壁の一部をコ字形にくり抜くことによって誤消去防止爪１ｂが形成されている。このような誤消去防止爪１ｂを破断して取り除くことにより、ＶＣＲ（ビデオカセットレコーダ）により誤ってビデオカセット１に記録されたデータが消去されてしまうことを防げる。
【０００３】
例えば、特許文献１には次のようなＶＣＲが開示されている。このＶＣＲは、円筒部から２方向へアーム部が延設された形状で回転自在に支持されたレバー部材と、レバー部材を付勢する付勢手段と、スイッチとを有する誤消去防止爪検出装置を備えている。誤消去防止爪を有するビデオカセットがＶＣＲに装着されると、誤消去防止爪がアーム部の先端突起部に当接することによりスイッチ７０がアーム部の他端部に押圧されオンとなり、誤消去防止爪が有ることが検出され、ＶＣＲは上書き動作可能な状態となる。また、誤消去防止爪を取り除かれたビデオカセットがＶＣＲに装着されると、付勢手段の付勢によりアーム部の先端突起部が誤消去防止爪を取り除かれたビデオカセットの凹部に入り込み、アーム部の他端部がスイッチから離反しスイッチがオフとなり、誤消去防止爪が取り除かれたことが検出され、ＶＣＲは上書き動作不可能な状態となる。これにより、ユーザが誤ってビデオカセットに記録されたデータを消去してしまうことを防げる。
【特許文献１】特開平５−６１８２８号公報
【発明の開示】
【発明が解決しようとする課題】
【０００４】
しかし、上記特許文献１に開示されたＶＣＲが備える誤消去防止爪検出装置では、複雑な形状であるレバー部材やスイッチ、付勢手段といった部品が必要であり、部品コストがかかってしまうといった問題点があった。
【０００５】
そこで、本発明は、部品コストを抑えることができる誤消去防止爪検出装置を提供することを目的とする。
【課題を解決するための手段】
【０００６】
上記目的を達成するために本発明の誤消去防止爪検出装置は、電気的に分離された第一のパターンと第二のパターンとが同一面に形成されたプリント基板と、前記第一のパターンに電気的に接続された金属板とを備え、
誤消去防止爪を有する記録媒体が所定の位置にセットされた場合、前記誤消去防止爪が前記金属板の一部に接触することで前記金属板が変形し前記金属板が前記第二のパターンと電気的に接続され、前記第一のパターンと前記第二のパターンとの導通を検出することで前記誤消去防止爪が有ることを検出する構成としている。
【０００７】
このような構成によれば、プリント基板と金属板による簡易なスイッチ構造を用いることで、部品コストを抑えることができる。
【０００８】
また、本発明の誤消去防止爪検出装置は、上記構成において、前記第二のパターンを貫通する２つの貫通穴が設けられ、前記プリント基板の前記第二のパターンが形成されない面側から略コ字状のジャンパーワイヤの両端部が前記２つの貫通穴に挿入され、前記ジャンパーワイヤと前記第二のパターンとが半田付けされ、
前記誤消去防止爪を有する記録媒体が所定の位置にセットされた場合、前記金属板が前記ジャンパーワイヤに接触する構成としてもよい。
【０００９】
このような構成によれば、ジャンパーワイヤと金属板の接触をより確実なものとし、誤消去防止爪をより確実に検出できる。
【００１０】
また、本発明の誤消去防止爪検出装置は、上記構成において、前記金属板の一部が前記第一のパターンの一部に半田付けされ、
前記金属板の一部が前記プリント基板の前記第一のパターンが形成されない面に当接され、該当接された前記金属板の一部および前記第一のパターンを貫通する２つの貫通穴が設けられ、該２つの貫通穴に前記金属板の一部側から略コ字状のジャンパーワイヤの両端部が挿入され、該ジャンパーワイヤと前記第一のパターンとが半田付けされている構成としてもよい。
【００１１】
このような構成によれば、第一のパターンと金属板の一部との半田付け不良、第一のパターンとジャンパーワイヤとの半田付け不良のいずれかが生じても、不良が生じていない方の半田付けにより第一のパターンと第二のパターンは導通し、誤消去防止爪の検出が継続できる。
【発明の効果】
【００１２】
本発明の誤消去防止爪検出装置によれば、部品コストを抑えることができる。
【発明を実施するための最良の形態】
【００１３】
以下、本発明の実施形態について図面を参照して説明する。
【００１４】
図１に、ＶＣＲが有する本発明に係る誤消去防止爪検出装置の一部側面図を示す。図１はＶＣＲの側面から見た図であり紙面右側がＶＣＲの前方となる。
【００１５】
また、図２は、本発明に係る誤消去防止爪検出装置に用いられるプリント基板３の銅箔パターン形成側から見た平面図およびプリント基板３への銅板２の取り付けを示す図である。なお、図１上のプリント基板３の紙面右側が銅箔パターン形成側となる。
【００１６】
銅板２は、長方形の板が所定の曲げ加工をされた形状の部分（以下、曲げ形状部）とその部分から突出した突起部とからなる。曲げ形状部は、先端部２ａと、屈曲部２ｂと、平坦部２ｃと、山形状部２ｄと、先端部２ｅとからなる。平坦な先端部２ａの先に略コ字状に屈曲する屈曲部２ｂが形成され、屈曲部２ｂの先に先端部２ａと略平行に伸びる平坦部２ｃが形成される。平坦部２ｃの先には屈曲部２ｂの突出方向と逆方向に突出した山形状である山形状部２ｄが形成され、山形状部２ｄの先には山形状部２ｄの突出方向に屈曲された先端部２ｅが形成される。山頂部２ｇは山形状部２ｄの頂部であり、ワイヤ接触部２ｈは山形状部２ｄと先端部２ｅとの境界部である。
【００１７】
また、先端部２ａには２つの穴部２ｉが形成され、屈曲部２ｂの底面部２ｆには曲げ形状部の長手方向に垂直方向に突出する突起部２ｊが形成される。
【００１８】
プリント基板３は、長方形の板に長手方向垂直な方向の２つの切り込み３ａが入った形状をしており、この切り込み３ａにより長手方向に垂直な方向の突出部３ｂが形成される。また、プリント基板３の片面には、電気的に分離された銅箔パターン３ｃ、３ｄ、３ｅが形成される。
【００１９】
銅箔パターン３ｃの一端側にはパターン接続部３ｇが形成され、パターン接続部３ｇからプリント基板３の長手方向にパターンが伸び、その先が２つに分岐され２つのワイヤ接続部３ｈが形成される。各ワイヤ接続部３ｈには穴部３ｉが形成される。
【００２０】
また、銅箔パターン３ｄの一端部にはパターン接続部３ｊが形成され、パターン接続部３ｊからプリント基板３の長手方向にパターンが伸び、その先が２つに分岐され２つのワイヤ接続部３ｋが形成される。各ワイヤ接続部３ｋには穴部３ｌが形成される。また、２つのワイヤ接続部３ｋのうち一つからさらにプリント基板３の長手方向にパターンが伸び、その先に突起部接続部３ｍが形成される。
【００２１】
また、プリント基板３には長手方向に伸びる２つのスリット３ｆが長手方向に並んで形成され、各スリット３ｆに接するようスリット３ｆと同じ方向に伸びる各銅箔パターン３ｅが形成される。
【００２２】
そして、突起部２ｊが突起部接続部３ｍに当接し、底面部２ｆが突出部３ｂの銅箔パターン形成側の面に当接し、先端部２ａがプリント基板３の銅箔パターン形成側と逆の面に当接し、平坦部２ｃがプリント基板３の銅箔パターン形成側と逆の面側に位置するよう、銅板２がプリント基板３にはめ込まれている。そして、突起部２ｊと突起部接続部３ｍとが半田付けされる。また、コ字状のジャンパーワイヤ５（図１）の両端が、先端部２ａ側から各穴部２ｉおよび各穴部３ｌから形成される各貫通穴に挿入され、各穴部３ｌから突出したジャンパーワイヤ５の両端部と各ワイヤ接続部３ｋとが半田付けされる（図１の半田Ｓ２）。
【００２３】
また、コ字状のジャンパーワイヤ４（図１）の両端が、プリント基板３の銅箔パターン形成側と逆の面側から各穴部３ｉに挿入され、各穴部３ｉから突出したジャンパーワイヤ４の両端部と各ワイヤ接続部３ｈとが半田付けされる（図１の半田Ｓ１）。
【００２４】
支持基板６は、プリント基板であり、長方形状部６ａと、長方形状部６ａの一辺の両端部から突出する２つの突出部６ｂと、突出部６ｂが形成される長方形状部６ａの辺と垂直な辺の一部から突出する突出部６ｃとを有している。そして、各突出部６ｂがプリント基板３の銅箔パターン形成側から各スリット３ｆに挿入される。挿入された状態で各銅箔パターン３ｅと直角に交差するよう各銅箔パターン６ｄが支持基板６に形成されており、各銅箔パターン３ｅと各銅箔パターン６ｄとが半田付けされる（図１の半田Ｓ３）。
【００２５】
そして、プリント基板３のパターン接続部３ｇ、３ｊが形成される側の端部および支持基板６の突出部６ｃが、プリント基板であるメイン基板７に設けられた各スリットに挿入される。挿入された状態で、突出部６ｃに形成される銅箔パターン６ｅとメイン基板７に形成される電気的に独立したパターン（不図示）とが直角に交差し、それらが半田付けされる（図１の半田Ｓ４）。
【００２６】
また、挿入された状態で、パターン接続部３ｇ、３ｊはメイン基板７より突出し、メイン基板７に形成される各配線パターンと半田付けされる（図１の半田Ｓ５）。ここで、図３に、誤消去防止爪有無検出回路の回路図を示す。パターン接続部３ｇに接続される配線パターンはグランドに接続される。また、パターン接続部３ｊに接続される配線パターンはメイン基板７に設けられるマイコン８の１ポートおよびメイン基板７に設けられる抵抗Ｒの一端に接続される。抵抗Ｒの他端には５Ｖが印加される。そして、スイッチＳＷは、銅板２、プリント基板３、ジャンパーワイヤ４、ジャンパーワイヤ５が組み合わされた部分に相当する。
【００２７】
次に、本発明に係る誤消去防止爪検出装置による誤消去防止爪有無検出動作について説明する。
【００２８】
ＶＣＲに誤消去防止爪１ｂを有するビデオカセット１が挿入されると、ＶＣＲのローディング機構によりビデオカセット１が図１の紙面上側から下方向へ搬送され所定の位置にセットされる。このとき、ビデオカセット１の前面下部の角部１ｃが、銅板２が有する山形状部２ｄの斜面に対して摺動することにより、銅板２はワイヤ接触部２ｈがジャンパーワイヤ４に近づくよう付勢に反して変形し、ワイヤ接触部２ｈがジャンパーワイヤ４に接触する。その後、山頂部２ｇが誤消去防止爪１ｂの下部の面１ｄおよび誤消去防止爪１ｂに対して摺動し、図４のように誤消去防止爪１ｂが山頂部２ｇと接触した状態でビデオカセット１が所定の位置にセットされ搬送が停止される。
【００２９】
このとき、ワイヤ接触部２ｈがジャンパーワイヤ４に接触するので、プリント基板３のパターン接続部３ｇ、３ｊが導通され（図３のスイッチＳＷのオン）、マイコン８のポートにグランド電位が印加され、マイコン８は誤消去防止爪が有ることを検出する。
【００３０】
また、ＶＣＲに誤消去防止爪１ｂが取り除かれたビデオカセット１が挿入されると、ＶＣＲのローディング機構によりビデオカセット１が図１の紙面上側から下方向へ搬送され所定の位置にセットされる。このとき、ビデオカセット１の前面下部の角部１ｃが、山形状部２ｄの斜面に対して摺動することにより、銅板２はワイヤ接触部２ｈがジャンパーワイヤ４に近づくよう付勢に反して変形し、ワイヤ接触部２ｈがジャンパーワイヤ４に接触する。その後、山頂部２ｇが誤消去防止爪１ｂの下部の面に対して摺動し、誤消去防止爪１ｂが取り除かれた後の凹部１ｅが山頂部２ｇの位置まで来ると、山頂部２ｇが銅板２の付勢により凹部１ｅに入り込み、ワイヤ接触部２ｈがジャンパーワイヤ４から離反し、図５のように山頂部２ｇが凹部１ｅに入り込んだ状態でビデオカセット１が所定の位置にセットされ搬送が停止される。
【００３１】
このとき、ワイヤ接触部２ｈがジャンパーワイヤ４と接触しないので、プリント基板３のパターン接続部３ｇ、３ｊは導通されず（図３のスイッチＳＷのオフ）、マイコン８のポートに５Ｖが印加され、マイコン８は誤消去防止爪が無いことを検出する。
【００３２】
このように本実施形態によれば、銅板２とプリント基板３による簡易なスイッチ構造を用いることで部品コストを抑えることができる。また、コ字状のジャンパーワイヤ４により、銅板２のワイヤ接触部２ｈがより確実にジャンパーワイヤ４に接触できる。また、銅板２の突起部２ｊと銅箔パターン３ｄの突起部接続部３ｍとの半田付け、ジャンパーワイヤ５と銅箔パターン３ｄのワイヤ接続部３ｋとの半田付けにより、いずれかの半田付け不良が生じても、不良が生じていない方の半田付けによりパターン接続部３ｇ、３ｊは導通し、誤消去防止爪の検出を継続できる。
【図面の簡単な説明】
【００３３】
【図１】は、本発明に係る誤消去防止爪検出装置の一部側面図である。
【図２】は、本発明に係る誤消去防止爪検出装置に用いられるプリント基板の平面図およびプリント基板への銅板の取り付けを示す図である。
【図３】は、誤消去防止爪検出回路の回路図である。
【図４】は、誤消去防止爪が有るビデオカセットが所定位置にセットされた状態を示す図である。
【図５】は、誤消去防止爪が取り除かれたビデオカセットが所定位置にセットされた状態を示す図である。
【図６】は、ビデオカセットの一部概略斜視図である。
【符号の説明】
【００３４】
１    ビデオカセット
２    銅板
３    プリント基板
４    ジャンパーワイヤ
５    ジャンパーワイヤ
６    支持基板
７    メイン基板
【図１】
2008310843.tif 000003
【図２】
2008310843.tif 000004
【図３】
2008310843.tif 000005
【図４】
2008310843.tif 000006
【図５】
2008310843.tif 000007
【図６】
2008310843.tif 000008